(57)【要約】【課題】サーバ障害時に予備サーバへの動作切替を行わずともＩＰアドレス直接発信により迂回発信を実現させる。【解決手段】相手端末の電話番号を指定して呼制御サーバへ発信要求した際、呼制御サーバ監視手段が呼制御サーバの異常を検知すると、ＩＰアドレス直接発信制御手段が、ＩＰアドレス付発着信履歴蓄積手段に蓄積されている電話番号に対応した相手端末のＩＰアドレスを検索し、検索したＩＰアドレスの相手端末にサーバを迂回して直接発信する。【選択図】図１
2008294896.tif 000002
【特許請求の範囲】
【請求項１】
ＷＡＮおよびＬＡＮを介したＩＰ電話の発着信制御をする呼制御サーバと連動するＩＰ電話端末であって、
前記呼制御サーバを介して発信または着信があった時に前記呼制御サーバまたは相手端末から通知される当該発信または着信の相手端末のＩＰアドレスを当該相手端末の電話番号と関連付けて蓄積するＩＰアドレス蓄積手段と、前記呼制御サーバを介さないで相手端末のＩＰアドレスにより相手端末へ直接発信するＩＰアドレス直接発信制御手段と、前記呼制御サーバの異常を監視する呼制御サーバ監視手段を有し、
相手端末の電話番号を指定して前記呼制御サーバへ発信要求した際、前記呼制御サーバ監視手段が前記呼制御サーバの異常を検知したならば、前記ＩＰアドレス直接発信制御手段は、前記ＩＰアドレス蓄積手段に蓄積されている前記電話番号に対応した相手端末のＩＰアドレスを検索し、前記検索したＩＰアドレスで直接発信することを特徴とするＩＰ電話端末。
【請求項２】
請求項１に記載のＩＰ電話端末であって、
前記ＩＰアドレス蓄積手段に前記電話番号に対応するＩＰアドレス情報が存在しない場合、前記電話番号に対応するＩＰアドレスを他端末に問い合わせるＩＰアドレス問合せ手段と、他端末から電話番号に対応するＩＰアドレスの問い合わせを受けた場合、前記ＩＰアドレス蓄積手段に蓄積された中に当該電話番号に対応するＩＰアドレスがあったならば前記ＩＰアドレスを前記他端末へ返信するＩＰアドレス返信手段とをさらに有することを特徴とするＩＰ電話端末。
【請求項３】
請求項１または２に記載のＩＰ電話端末であって、
前記呼制御サーバを介して発着信を行う場合は、第一の通信プロトコルで動作し、前記呼制御サーバを介さずに発着信を行う場合は、第二の通信プロトコルに切り替えて動作することを特徴とするＩＰ電話端末。
【発明の詳細な説明】
【技術分野】
【０００１】
本発明は、ＷＡＮ（Wide Area Network：「広域通信網」）およびＬＡＮ（Local Area Network：「構内通信網」）を介したＩＰ（Internet Protocol）電話の発着信制御をする呼制御サーバと連動するＩＰ電話端末に関する。
【背景技術】
【０００２】
従来、ＩＰ−ＰＢＸ（Internet Protocol Private Branch eXchange：ＩＰネットワーク内で、ＩＰ電話端末の回線交換を行なう装置およびソフトウェア。）のサーバが障害等によって利用できなくなった場合、予備として待機してあるサーバに動作を切り替える手段、あるいは、あらかじめ設定しておいた迂回発信用ＧＷ（Gateway）を介して、呼接続を行う手段がとられていた。
【０００３】
また、この問題に対して、内線電話機内に、予め電話番号とＩＰアドレスの対応情報を記録しておき、障害等でサーバが利用できないとき、この対応情報に基づき、電話番号から直接相手先のＩＰアドレスを認識し、そのＩＰアドレス宛に発信するなどの方法がとられていた。例えば、特許文献１には、ＩＰ電話ネットワーク及びそれに用いる通話迂回方法の発明が開示されている。
【特許文献１】特開２００５−３９５６５号公報
【発明の開示】
【発明が解決しようとする課題】
【０００４】
しかし、従来の方法では、各システム機器をＤＨＣＰ（Dynamic Host Configuration Protocol：インターネットに一時的に接続するコンピュータにＩＰアドレスなど必要な情報を自動的に割り当てるプロトコル。）で適用した場合や迂回発信用ＧＷやＩＰ電話端末の増減設を行った場合、ＩＰアドレス割付が変動するため、前記対応情報を随時最新の状態に更新しておく必要がある。
【０００５】
また、この対応情報（テーブル）も、システムに存在する全端末の電話番号とＩＰアドレスとを記憶させようとすると、膨大なメモリ容量を確保する必要があり、端末コストが高騰するので不都合である。
【０００６】
本発明の目的は、サーバ障害時に予備サーバへの動作の切替を行わずともＩＰアドレス直接発信により迂回発信を実現させることである。
【課題を解決するための手段】
【０００７】
本発明のＩＰ電話端末は、ＷＡＮおよびＬＡＮを介したＩＰ電話の発着信制御をする呼制御サーバと連動するＩＰ電話端末であって、前記呼制御サーバを介して発信または着信があった時に前記呼制御サーバまたは相手端末から通知される当該発信または着信の相手端末のＩＰアドレスを当該相手端末の電話番号と関連付けて蓄積するＩＰアドレス蓄積手段と、前記呼制御サーバを介さないで相手端末のＩＰアドレスにより相手端末へ直接発信するＩＰアドレス直接発信制御手段と、前記呼制御サーバの異常を監視する呼制御サーバ監視手段を有し、相手端末の電話番号を指定して前記呼制御サーバへ発信要求した際、前記呼制御サーバ監視手段が前記呼制御サーバの異常を検知したならば、前記ＩＰアドレス直接発信制御手段は、前記ＩＰアドレス蓄積手段に蓄積されている前記電話番号に対応した相手端末のＩＰアドレスを検索し、前記検索したＩＰアドレスで直接発信することを特徴とする。
【発明の効果】
【０００８】
本発明によれば、ＩＰ電話端末の発着信履歴の電話番号にＩＰアドレス情報を対応させて記憶させることにより、従来できなかったサーバ障害時に直接相手端末のＩＰアドレスに対して発信し接続することが可能となる。
【０００９】
また、呼制御サーバを介して発着信を行う際の呼制御サーバとのインタフェースがＳＩＰ（Session Initiation Protocol：インターネット電話などで用いられる通話制御プロトコルの一つ。）等の標準プロトコルでなく、障害時に呼制御サーバを介さず相手端末のIPアドレスに直接発信する際のそのままサーバアクセスプロトコルで内線端末の相互接続ができないシステム構成の場合、端末の動作を、直接接続できるＳＩＰ等の標準プロトコルに切り替えることで呼接続を実現する。そのため障害時用に予備として設置していたサーバも不要となる。
【発明を実施するための最良の形態】
【００１０】
次に、本発明の実施の形態について図面を参照して詳細に説明する。
【実施例１】
【００１１】
図１は、本発明の実施の形態を示すシステム構成図で、ＩＰ通信機能を有した電話端末と呼制御サーバ３を有し、ＩＰ電話端末１−ａ〜１−ｃを制御するサーバとＰＳＴＮ（Public Switched Telephone Networks：一般の加入電話回線ネットワーク。「公衆電話交換回線網」。）に接続を可能とする外線ゲートウェイ４から構成される。相手端末６とはＷＡＮ５を介して通話が確立される。
【００１２】
図２は、図１におけるＩＰ電話端末１の構成図であり、全体を制御する制御部１２、通話を確立させる呼制御部１１、サーバ障害時にＩＰアドレス発信が行えるＩＰアドレス直接発信部１７、同一ＬＡＮ２上に接続する別のＩＰ電話端末１のＩＰアドレス情報を保管し、サーバ障害時に相手端末６のＩＰアドレスがわからない場合に問い合わせる他端末問合せ部１５、他端末から問合せが来た場合にＩＰアドレス情報の通知を処理するＩＰアドレス通知処理部１６、検索機能を制御する検索情報制御部１４、発着信履歴を記憶する履歴メモリ部１３及びＬＡＮ２と接続するＬＡＮインターフェース部１８を有する。
【００１３】
図３は、図２における履歴メモリ部１３の内部構成図であり、通話確立時に得られるＩＰアドレス情報１３３を電話番号１３２，時刻１３１に対応させて記録する構成が示されている。
【００１４】
図４は、図１におけるＩＰ電話端末１の発信時の一連のフローチャート図である。
【００１５】
ＩＰ電話端末１に他端末から着信があった場合（Ｓ４０１）、着信処理を行い（Ｓ４０７）、その際に得られる相手ＩＰアドレス情報を履歴メモリ部１３に蓄積する（Ｓ４０８）。他端末からＩＰアドレスの問合せがあった場合（Ｓ４０２）は、自端末の履歴メモリ部１３を検索し（Ｓ４０９）、問合せの電話番号に対応したＩＰアドレスが存在した場合（Ｓ４１１）は問合せ側端末にＩＰアドレスを送信する（Ｓ４１０）。ＩＰアドレスが存在しなかった場合は、問合せ側端末にＩＰアドレス無しの情報を送信する（Ｓ４１２）。
【００１６】
他端末から問合せがなく、発信後（Ｓ４０３）、サーバ障害がなかった場合（Ｓ４０４）は、電話番号発信で呼制御サーバ経由発信となり（Ｓ４１３）、通常動作を行う。その際に得られる相手ＩＰアドレス情報を履歴メモリ部１３に蓄積する（Ｓ４１６）。
【００１７】
サーバ障害があった場合（Ｓ４０４）は、ＩＰ電話端末１−ａ内に記憶されている履歴情報を検索（Ｓ４０５）し、発信したい相手先のＩＰアドレスが存在した場合（Ｓ４０６）は、ＩＰアドレス発信で相手端末に直接発信を行う（Ｓ４１８）。
【００１８】
このとき、自己の発着信履歴に目的とする相手端末の電話番号とＩＰアドレスが存在しない場合、別のＩＰ電話端末１に対して、ＩＰアドレスの問合せを送信し（Ｓ４１４）、別のＩＰ電話端末からの返信にＩＰアドレスが存在した場合（Ｓ４１５）は受信した当該ＩＰアドレス宛に直接発信を行う（Ｓ４１８）。存在しない場合は、次候補の問い合わせ先ＩＰ電話端末があるか判断し（Ｓ４１７）、存在した場合は上記と同様の動作を繰り返す。また、次候補が無い場合は、発信失敗となり、ＢＴ（Busy Tone）を送出して発信終了となる。
【００１９】
図５は、図１における発信側ＩＰ電話端末１−ａからの発信時において着信側相手端末６のＩＰアドレスを記憶させる動作のシーケンス図である。図１におけるＩＰ電話端末１−ａからの発信の際に相手端末６とのＳＩＰを用いた通話確立プロトコルにおいて呼制御サーバより送信されるＲｉｎｇｉｎｇ１８０信号（Ｓ５０６）に付加されている相手端末６のＩＰアドレス情報を電話番号と関連付けて、履歴メモリ部１３に記憶させる動作を行い（Ｓ５１４）通話を確立する。
【００２０】
図６は、図１における着信側ＩＰ電話端末１−ａへの着信時において発信側相手端末６のＩＰアドレスを記憶させる動作のシーケンス図である。図１におけるＩＰ電話端末１−ａへの発信の際に相手端末６とのＳＩＰを用いた通話確立プロトコルにおいて、呼制御サーバ３より送信されるＩＮＶＩＴＥ信号（Ｓ６０３）に付加されている相手端末のＩＰアドレス情報を電話番号と関連付けて履歴メモリ部１３に記憶させる動作を行う（Ｓ６０４）。
【００２１】
図７は、図１における発信側ＩＰ電話端末１−ａからのサーバ障害時において、自己履歴に蓄積されている発信先ＩＰアドレスが存在（Ｓ７０２）し、発信する動作の一連のシーケンス図である。ＩＰ電話端末１−ａが呼制御サーバ３を介して電話番号発信を行うが、サーバ障害（Ｓ７０３）のため通話が確立できない。この時、サーバ障害が発生していることを判定する方法として、Ｓ７０１で電話番号発信（ＩＮＶＩＴＥ）を送信した時にあらかじめ定められた時間（例えば3秒）のタイマーを起動し、タイムアウトするまでに１００ＴＲＹＩＮＧを受信しなかった場合にサーバ障害が発生したと判定する。そのため、ＩＰ電話端末１−ａは、自己の発着信履歴に発信したい電話番号があるか検索し、存在した場合は、電話番号に関連付けて蓄積されているＩＰアドレスにより着信側相手端末６に直接ＩＰアドレス発信を行う（Ｓ７０４）。
【００２２】
図８は、図１におけるＩＰ電話端末１−ａからのサーバ障害時（Ｓ８０１）において発信したいＩＰアドレスが自己履歴に蓄積されておらず（Ｓ８０３）、他ＩＰ電話端末１−ｂまたは１−ｃに問合せて他ＩＰ電話端末の履歴を検索（Ｓ８０４，Ｓ８１３）し、他ＩＰ電話端末１−ｃから当該相手端末８の発信先ＩＰアドレスを取得し、発信する動作の一連のシーケンス図である。ＩＰ電話端末１−ａが呼制御サーバ３を介して電話番号発信を行う（Ｓ８０２）がサーバ障害のため通話が確立できない。そのため、ＩＰ電話端末１−ａは、自己の発着信履歴の最新のものより発信したい電話番号とＩＰアドレス値が存在するか検索する。
【００２３】
目的の電話番号とＩＰアドレス値が存在しない（Ｓ８０３）場合、ＩＰ電話端末１−ａの履歴の中で最新に記録されているＩＰ電話端末１−ｂを検索（Ｓ８０４）して、ＩＰ電話端末１−ｂに目的の電話番号に対応するIPアドレス値を問い合わせる。
【００２４】
問い合わせを受けたＩＰ電話端末１−ｂは、自端末の履歴情報を検索する（Ｓ８０５）。発信したい相手先のＩＰアドレス情報が蓄積されてていない場合、ＩＰ電話端末１−ｂは、ＩＰ電話端末１−ａに対しＩＰアドレス情報が無いことを送信する（Ｓ８１２）。
【００２５】
ＩＰ電話端末１−ａは、問い合わせ先端末にＩＰアドレス情報が無いことがわかると、自己履歴において次候補のＩＰ電話端末１−ｃを検索（Ｓ８１３）し、ＩＰ電話端末１−ｃに問い合わせを行う。
【００２６】
問い合わせを受けたＩＰ電話端末１−ｃは、自端末の履歴情報を検索する（Ｓ８１４）。発信したい相手先のＩＰアドレス情報が蓄積されている場合は、ＩＰ電話端末１−ｃは、ＩＰ電話端末１−ａに対し、ＩＰアドレス情報を送付する（Ｓ８０６）。
【００２７】
ＩＰ電話端末１−ａは、その送付されたＩＰアドレス情報を元に相手端末６に直接ＩＰアドレス発信を行う（Ｓ８０７）。
【００２８】
尚、本実施例では、説明を簡単にするためにＩＰアドレス情報をもとに相手端末の探索方法を説明したが、本願はこれに限定されない。たとえば、ネットワークに応じてＩＰアドレスとともにゲートウェイアドレス、通話相手のルータアドレス等をＩＰアドレス情報として保存するようにしてもよい。
【００２９】
尚、本実施例では、発着信履歴を参照して、目的の電話番号に対応するＩＰアドレス値を探索していたが、本願はこれに限定されない。例えば、発信・着信毎に履歴メモリ部１３とは別に独立した電話番号とＩＰアドレスの対応テーブルを作成してもよい。
【図面の簡単な説明】
【００３０】
【図１】図１は、本発明の実施の形態を示すシステム構成図である。
【図２】図２は、図１−ａにおけるＩＰ電話端末１−ａの構成図である。
【図３】図３は、図２における履歴メモリ部１３の内部構成図である。
【図４】図４は、本発明の一連の動作を示すシーケンス図である。
【図５】図５は、図１におけるＩＰ電話端末１−ａからの発信時において相手端末６のＩＰアドレスを記憶させる動作のシーケンス図である。
【図６】図６は、図１におけるＩＰ電話端末１−ａへの着信時において相手端末６のＩＰアドレスを記憶させる動作のシーケンス図である。
【図７】図７は、図１におけるＩＰ電話端末１−ａからのサーバ障害時において自己履歴に蓄積されている発信先ＩＰアドレスを検索し、発信させる動作の一連のシーケンス図である。
【図８】図８は、図１におけるＩＰ電話端末１−ａからのサーバ障害時において他端末に問合せすることで発信先ＩＰアドレスを検索し、発信させる動作の一連のシーケンス図である。
【符号の説明】
【００３１】
１−ａ    ＩＰ電話端末
１−ｂ    ＩＰ電話端末
１−ｃ    ＩＰ電話端末
２    ＬＡＮ
３    呼制御サーバ
４    外線ゲートウェイ
５    ＷＡＮ
６    相手端末
１１    呼制御部
１２    制御部
１３    履歴メモリ部
１４    検索情報制御部
１５    他端末問合わせ部
１６    ＩＰアドレス通知処理部
１７    ＩＰアドレス直接発信部
１８    ＬＡＮインターフェース部
１３１    時刻
１３２    電話番号
１３３    ＩＰアドレス
【図１】
2008294896.tif 000003
【図２】
2008294896.tif 000004
【図３】
2008294896.tif 000005
【図４】
2008294896.tif 000006
【図５】
2008294896.tif 000007
【図６】
2008294896.tif 000008
【図７】
2008294896.tif 000009
【図８】
2008294896.tif 000010